(57)【要約】【課題】携帯用飲料容器をリュックサック、バッグ等に入れたままの状態で飲用できるストローと飲料容器の蓋及び収納袋を提供する。  【解決手段】飲料容器の蓋１０に貫通孔１０a、１０bを開け、一部が螺旋状、または数箇所が屈折して形成され、外力を加えると伸長し、外力を除くと元の形状に戻ることを特徴とする全体が柔軟な飲料用ストロー５を１０aに挿通する。１０bは空気孔とする。蓋１０から下、飲料容器本体９内のストロー５は飲料容器本体９の底まで届く長さにする。蓋１０から外側のストロー５はリュックサック等に飲料容器を入れた状態で口まで届く長さにする。断続的に使用するときのために、ストロー５に襟元などに固定するためのクリップ７を設ける。使用しないとき、ストローの吸飲口６が露出しているのは衛生上よくないので、飲料容器ごと断熱材で出来た収納袋に収める。【選択図】図２
2011024743.tif 000002
【特許請求の範囲】
【請求項１】
一部が螺旋状、または数箇所が屈折して形成され、外力を加えると伸長し、外力を
除くと元の形状に戻ることを特徴とする柔軟な材料で形成された飲料用ストロー。
【請求項２】
服やバッグ等に固定するためのクリップを有することを特徴とする請求項1に記
載の飲料用ストロー。
【請求項３】
片手で開閉できる蓋の内側にストローの飲み口を固定するストロー固定部を有し、
蓋の外周にストローの通る孔を設けたことを特徴とする蓋。
【請求項４】
保温、保冷の出来る断熱材料で出来た収納袋本体と、円筒形の基台に請求項３の蓋を有する硬質プラスチック等で出来た収納袋口部を面ファスナーで係着し、簡単に着脱可能にしたことを特徴とする収納袋。
【発明の詳細な説明】
【技術分野】
【０００１】
本発明は、携帯用飲料容器のストローと蓋、収納袋に関するものである。
【背景技術】
【０００２】
世の中、高齢化社会になり、自分の健康は自分で管理しようと登山、サイクリング、スポーツジムと盛んである。身体を動かすと当然水分補給をしなければいけなくなる。
【０００３】
この水分補給の方法であるが、自宅より水筒を持参するか、街中至る所に設置されている飲料用の自動販売機を利用するかである。この自動販売機では、お茶、ジュース等の飲料が蓋つきの容器に入れられ販売されていて簡単に摂取でき、また、携帯することも可能でこの蓋付き容器入り飲料の需要は高まっている。
【０００４】
この蓋付き容器入り飲料を摂取する時、現状ではバッグなどから蓋付き飲料容器を取り出し、片手で容器本体を持ち、もう一方の手で蓋を開け、口元まで容器本体を持っていき、そのまま口をつけて飲むか、ストローを差し込んで飲むかしないと飲むことが出来ない。また、蓋を開けるとストローが持ち上がるストローつき蓋も別売りである。（特許文献１）。しかし、これを利用するにしても容器本体はバッグなどから出して、口元まで持ってこなければ飲むことは出来ない。
【先行技術文献】
【特許文献】
【０００５】
【特許文献１】特開２００１−１８６９７４
【発明の概要】
【発明が解決しようとする課題】
【０００６】
この蓋付き容器内の飲料が蓋を取らず、また、蓋付き容器自体をリュックサック、バッグ、ポケットなどに入れたままで、飲むことが出来れば、登山中やサイクリング中などに、いちいち立ち止まってリュックサック等から飲料容器を取り出して蓋を開け、飲まなくてもよいので仲間に遅れることもなく便利ではないか。登山中やサイクリング中に飲料容器自体はリュックサック等に入れたままで、飲み口が口元付近に固定してあれば断続的に水分補給ができ、便利ではないか。
【０００７】
本発明は、このような事情に鑑みて、蓋付き飲料容器内の飲料を摂取する際、飲料容器の蓋を取らず、飲料容器本体はバッグ、リュクサック等に入れたまま摂取でき、断続的に使用するときは口元付近にストローの飲み口を固定でき、携帯時には衛生面も考え、ストローを縮小して袋に収容できる飲料容器のストローと蓋、及び収納袋を提供することにある。
【課題を解決するための手段】
【０００８】
上記課題の飲料容器の蓋を取らずその中の飲料を飲むには、飲料容器の蓋にストローを挿入する孔と空気孔を開け、ストローを挿入すれば、飲料容器の蓋を取らなくても中の飲料を飲むことが出来る。この時空気孔から内部に空気が入るのでスムーズに飲むことが出来る。
【０００９】
また、この飲料容器の蓋は互換性があるものが多いので、飲料がなくなっても現地の自動販売機等で調達してストロー付きの蓋だけ交換すれば再度利用することが出来る。
【００１０】
また、飲料容器をリュックサックやバッグに入れたままで飲むには、ストローの長さはリュックサックやバッグに入れた飲料容器の底から口元に届く長さが必要となる。この長さのストローを携帯するには、現在市販されているような硬い直線状のストローや直線状の一部が蛇腹状や螺旋状になっているストローではなく、全体が柔軟性のあるストローが必要である。
【００１１】
断続的に飲料を飲みたいときはストローの飲み口付近にクリップ等を設け襟元などに固定するとストローの飲み口が常時口元付近に固定される。またストローの飲み口が口から外れ難いようにストローの飲み口を少し太くする。
【００１２】
使用時には上記の形態でよいが、携帯時には長いままのストローでは不便であるので、このストローは外力を加えない時は螺旋状または数箇所が屈折して縮小し、少しの外力で容易に伸張するように形成する。またストローの吸飲口が常に露出されているのも不衛生である。そこで、この飲料容器とストローを保温、保冷の出来る断熱材料でできた袋に収納する。
【００１３】
この収納袋は、断熱材料で出来た収納袋本体部分と、硬質プラスチックなどで出来た収納袋口部分からなり、両部分を面ファスナーで係着し、簡単に着脱できる形態にすることにより収納袋本体部分は簡単に洗浄することが出来る。収納袋口部分は円筒形の基台に片手で開閉できる蓋を設ける。
【００１４】
この収納袋口の蓋の内側にストローの吸飲口を固定できる固定部を設け、携帯時にはストローの吸飲口を此処に差し込んで置く。次の使用時、収納袋口の蓋をあけるとストローの吸飲口も蓋と連動して上に現れるのですぐに手に取ることができる。また、もしバッグ等内で飲料容器が横になることがあっても中の飲料が漏れるのを防ぐことができる。
【００１５】
収納袋口の蓋の外周の一ヶ所にストローの通る孔を開け、使用時にはストローをこの穴から出し蓋を閉じて使用する。
【００１６】
飲料容器のみ持ち歩く時のため、収納袋の側面左右にベルト装着部を設け、着脱可能なベルトを付ける。
【発明の効果】
【００１７】
リュックサックやバッグなどに飲料容器を入れたままで、ストローのみを口元付近に固定できるので、登山やサイクリング中の水分補給が早く楽に出来る。
また、片手で蓋を開け、ストローを引き出し簡単に口元まで持ってくることが出来るので、片手の不自由な人でも使用できる。寝たきりの人もベットの柵にこの飲料容器を固定させておくと人の手を煩わせずに飲みたいときにすぐ飲める。静かな講演会場や、映画館などで使用すれば、ガサガサ音をさせなくて済むので周りの人に迷惑を掛けずに飲料を口にすることが出来る。
【図面の簡単な説明】
【００１８】
【図１】本発明の収納袋の平面図である。
【図２】本発明の収納袋の正面図である。
【図３】本発明の携帯用飲料容器のストローと蓋と収納袋の使用時の正面図である。
【図４】本発明の収納袋のベルトを装着した時の側面図である。
【図５】本発明の収納袋本体の平面図である
【図６】本発明の収納袋本体の正面図である。
【図７】本発明の収納袋の着脱自由のベルトである。
【図８】本発明の収納袋口部の平面図である。
【図９】本発明の収納袋口部の正面図である。
【図１０】本発明の収納袋口部の蓋を開いた正面図である。
【図１１】本発明の収納袋口部の蓋を開いた側面図である。
【図１２】本発明の収納袋口部の断面図である（Ｃ−Ｃ’）。
【図１３】本発明のストローと飲料容器蓋の携帯時の形状図である。
【図１４】本発明のストローと飲料容器蓋の使用時の形状図である。
【図１５】本発明のストローと飲料容器蓋を飲料容器本体にセットした図である。
【図１６】本発明の携帯用飲料容器のストローと蓋と収納袋の携帯時の断面図である（ＡーＡ’）。
【図１７】本発明の携帯用飲料容器のストローと蓋と収納袋の使用時の断面図である（Ｂ−Ｂ’）。
【図１８】本発明の携帯用飲料容器のストローと蓋と収納袋のベルトを付けた携帯時の斜視図である。
【図１９】本発明の携帯用飲料容器のストローと蓋と収納袋のベルトを付けた使用時の斜視図である。
【発明を実施するための形態】
【００１９】
本発明を実施するための形態を図面を参照にしながら説明する。本実施の形態では、飲料用容器としては、小型のペットボトルを用いる。
本発明の携帯用飲料容器のストローと蓋と収納袋は、収納袋本体１、収納袋口２・３、ベルト１２、ペットボトル本体９、ペットボトル蓋１０とストロー５から成る。
【００２０】
図１は本発明の収納袋の平面図、図２はその正面図である。使用時は図３のように中のストロー５のみを、ストロー用孔３bを通して外に出し使用する。図４はベルトを付けた携帯時の側面図である。
【００２１】
収納袋本体1は、保温、保冷に適した断熱材を使用し、図５のように、収納袋本体１の内側の上部にマジックテープ（登録商標）１１aを取り付け、収納袋口台２のマジックテープ（登録商標）１１bと係着する。図６に示すように、収納袋本体１の外部側面に一対のベルト係止部４を設け、この携帯用飲料容器入りの収納袋のみを単独で持ち歩く時は図７のベルト１２をこのベルト係止部４に取り付けて、手に持つ、あるいは肩に掛けて使用する。
【００２２】
図８は収納袋口の平面図、図９はその正面図である。収納袋口は収納袋口台２と収納袋口蓋３より成り、その一部を連結し、対面に収納袋口台にロック部２aと収納袋口蓋にロック部３aを設け、収納袋口蓋３が片手でも簡単に開閉できるようにする。図１０は収納袋口蓋３を開けた正面図、図１１は収納袋口蓋３を開けた側面図、図１２は収納袋口蓋３を閉じた断面図である。収納袋口台２の外側下部にマジックテープ（登録商標）１１bを付け、収納袋本体１に取り付けた１１aと係着する。
また、収納袋口蓋３にストロー用孔３bを開ける。このストロー用孔３bは、吸飲時にはここからストロー５を外に出し、収納袋口蓋３は閉じて使用する。また、収納袋口蓋３の内側にストロー固定部８を設け、吸飲しない時は、吸飲口６をここに固定する。
【００２３】
次に、収納袋内に入れるペットボトルとストローの形状について説明する。
ペットボトル蓋１０にストロー挿入孔１０aと空気孔１０bを開け、ストロー挿入孔１０aにストロー５を挿入する。
ストロー５は全体が柔軟性のあるものであって、外力を加えないときは、図１３のように螺旋状に縮小され、少しの力を加えることで、図１４のように伸張する。
ペットボトル本体９に、ストロー５をセットしたペットボトル蓋１０を装着する。ペットボトル本体９内の飲料を飲む時、本発明の携帯用飲料容器は、リュックサックやバッグ内に立てた状態で吸飲する為、ストロー5の一端はペットボトル本体９の底まで届くようにセットする（図１５）。
【００２４】
ストロー5のもう一方の端には、吸飲する時口から外れ難いように吸飲口６を設ける。また、断続的に吸飲したい時の為、吸飲口６が口元付近に固定できるようにクリップ７をストロー５にスライド可能に軸着し、襟元などにクリップ７を留めて使用する。
【００２５】
図１５の状態のペットボトルとストローを収納袋（図２）に納める。吸飲しない時は図１６の断面図のように、吸飲口６をストロー固定部８に差し込んで固定しておく。
吸飲する時、収納袋口蓋３を開けると、ストロー５も連動して持ち上がってくるので、すぐに手に取ることができる。また、吸飲口６がストロー固定部8に固定されていると、ペットボトル本体が横に倒れたとしても、中の飲料が外に流れ出ることを防ぐことが出来る。
【００２６】
図１７は使用時の本発明の携帯用飲料容器のストローと蓋と収納袋の断面図で、ストロー５はストロー用孔３bに通して外部に出し、収納袋口蓋３は閉じた状態で使用する。
【００２７】
図１８は、ベルトを装着した本発明の携帯用飲料容器のストローと蓋と収納袋の携帯時の斜視図であり、図１９は、使用時の斜視図である。
【符号の説明】
【００２８】
１    収納袋本体
２    収納袋口台
２a   収納袋口台のロック部
３    収納袋口蓋
３a   収納袋口蓋のロック部
３b   ストロー用孔
４    ベルト係止部
５    ストロー
６    吸飲口
７    クリップ
８    ストロー固定部
９    ペットボトル本体
１０  ペットボトル蓋
１１a マジックテープ（登録商標）
１１b マジックテープ（登録商標）
１２  ベルト
【図１】
2011024743.tif 000003
【図２】
2011024743.tif 000004
【図３】
2011024743.tif 000005
【図４】
2011024743.tif 000006
【図５】
2011024743.tif 000007
【図６】
2011024743.tif 000008
【図７】
2011024743.tif 000009
【図８】
2011024743.tif 000010
【図９】
2011024743.tif 000011
【図１０】
2011024743.tif 000012
【図１１】
2011024743.tif 000013
【図１２】
2011024743.tif 000014
【図１３】
2011024743.tif 000015
【図１４】
2011024743.tif 000016
【図１５】
2011024743.tif 000017
【図１６】
2011024743.tif 000018
【図１７】
2011024743.tif 000019
【図１８】
2011024743.tif 000020
【図１９】
2011024743.tif 000021